(57)【要約】【課題】湯を浴槽に還元することなく濾過槽の一端側から他端側に流通させる閉循環経路を設け、該閉循環経路に消毒液を混入させることにより、少ない消毒液で濾過槽内の雑菌を効率よく死滅させる。【解決手段】浴槽（２０）の湯を濾過槽（２１）の一端側から他端側に流通させた後、浴槽（２０）に還元する正循環経路（Ａ）と、浴槽（２０）の湯を濾過槽（２１）の他端側から一端側に流通させた後、外部に排出する逆洗経路（Ｃ）とを設けてなる浴槽湯の濾過装置において、前記正循環経路（Ａ）に、濾過槽（２１）の一端側から他端側に流通させた湯を浴槽（２０）に還元することなく濾過槽（２１）の一端側に戻す閉循環経路（Ｂ）を設け、該閉循環経路（Ｂ）に消毒液を混入させる消毒液混入装置（Ｐ３）を設ける。【選択図】図２
2006095397.tif 000002
【特許請求の範囲】
【請求項１】
浴槽（２０）の湯を濾過槽（２１）の一端側から他端側に流通させた後、浴槽（２０）に還元する正循環経路（Ａ）と、浴槽（２０）の湯を濾過槽（２１）の他端側から一端側に流通させた後、外部に排出する逆洗経路（Ｃ）とを設けてなる浴槽湯の濾過装置において、前記正循環経路（Ａ）に、濾過槽（２１）の一端側から他端側に流通させた湯を浴槽（２０）に還元することなく濾過槽（２１）の一端側に戻す閉循環経路（Ｂ）を設け、該閉循環経路（Ｂ）に消毒液を混入させる消毒液混入装置（Ｐ３）を設けたことを特徴とする浴槽湯の濾過装置。
【請求項２】
正循環経路（Ａ）に消毒液を混入させる第２消毒液混入装置（Ｐ２）を設けたことを特徴とする請求項１記載の浴槽湯の濾過装置。
【請求項３】
逆洗経路（Ｃ）の下流側に中和剤を混入させる中和剤混入装置（Ｐ４）を設けたことを特徴とする請求項１又は２記載の浴槽湯の濾過装置。
【請求項４】
浴槽（２０）の湯を濾過槽（２１）の一端側から他端側に流通させた後、浴槽（２０）に還元する正循環経路（Ａ）と、該正循環経路（Ａ）に、前記濾過槽（２１）の一端側から他端側に流通させた湯を浴槽（２０）に還元することなく前記濾過槽（２１）の一端側に戻す閉循環経路（Ｂ）と、該閉循環経路（Ｂ）に消毒液を混入させる消毒液混入装置（Ｐ３）と、浴槽（２０）の湯を濾過槽（２１）の他端側から一端側に流通させた後、外部に排出する逆洗経路（Ｃ）と、該逆洗経路（Ｃ）の下流側に中和剤を混入させる中和剤混入装置（Ｐ４）とを設け、前記正循環経路（Ａ）が所定時間作動された後に、前記閉循環経路（Ｂ）及び消毒液混入装置（Ｐ３）と、前記逆洗経路（Ｃ）及び中和剤混入装置（Ｐ４）とを順次設定された時間で作動させる制御装置（５０）を設けたことを特徴とする浴槽湯の濾過装置の制御装置。
【発明の詳細な説明】
【技術分野】
【０００１】
本発明は、浴槽の湯、特に大衆浴場の湯を消毒及び濾過する濾過装置及びその制御装置に関するものである。
【背景技術】
【０００２】
従来の技術として、特許文献１があった。即ち、図７、図８に示すように、水槽部１の外部に密閉された濾過槽２を設置し、水槽部１の水（湯）を濾過槽２の上部側から下部側に流通させた後、水槽部１に戻す正循環経路（図７）と、水槽部１の水を濾過槽２の下部側から上部側に流通させた後、外部に排出する逆洗経路（図８）とを設ける。上記正循環経路は、図７に示すように、ポンプ部Ｐにより取出し管路３を介して水槽部１内の水を吸引し、該水を第１圧送管５、上方内部管６を介して濾過槽２の上部に供給し、該水を濾過槽２内の粒状濾過材層７内に上側から通過させて濾過し、この濾過した水を下部内部管８、返送管９を介して上記水槽部１に戻す。このとき、返送管９の下流側に消毒液１０を混入して返送水を消毒する。
【０００３】
また、逆洗経路は、図８に示すように、上記ポンプ部Ｐによって吸引された水槽部１の水を第２圧送管１１、下部内部管８を介して濾過槽２の下部に供給し、該水を粒状濾過材層７内に下側から通過させて該粒状濾過材層７を攪拌し、該粒状濾過材層７に堆積及び付着した塵埃を分離し、この分離した塵埃を水と共に上部内部管６、排出管１２を介して外部の排水路に排出する。なお、図７、図８において、１３は第１圧送管５を上方内部管６と排出管１２とに切り換える第１切替弁、１４は第２圧送管１１を下方内部管８と返送管９とに切り換える第２切替弁である。
【０００４】
上記特許文献１は、逆洗経路によって排出される水が消毒されていないため、濾過槽２内にレジオネラ菌等の雑菌が残留することになる。また、雑菌を含んだ水が排水路に流出し、環境が汚染されることになる。これを防止するため、条例では、大衆浴場の場合、逆洗経路の作動、つまり濾過槽２の逆洗は５〜１０ｍｇ／lの残留塩素濃度で１回／日、約５分間行なうことが義務付けられている。
【０００５】
ところで、上記逆洗時に消毒液、例えば塩素水を混入させるようにすると、逆洗時の排出湯量が多量なため、これに伴って図６の消費累計Ｌ２で示すように、塩素水の消費量が増大、例えば１回当たり約１３６．５ｍl消費することになる。また、塩素水を混入した排出湯は中和剤、例えばチオ硫酸ナトリウムで中和して外部に排出する必要があり、この中和剤の消費量も増大することになる。
【特許文献１】特開平１１−５０９号公報
【発明の開示】
【発明が解決しようとする課題】
【０００６】
本発明は、正循環経路に、濾過槽の一端側から他端側に流通させた湯を浴槽に還元することなく濾過槽の一端側に戻す閉循環経路を設け、該閉循環経路に消毒液を混入させることにより、少ない消毒液で濾過槽内の雑菌を効率よく死滅させるようにした、新規な浴槽湯の濾過装置及びその制御装置を得ることを目的とする。
【課題を解決するための手段】
【０００７】
本発明は、上記目的を達成するために以下の如く構成したものである。即ち、請求項１に係る発明は、浴槽の湯を濾過槽の一端側から他端側に流通させた後、浴槽に還元する正循環経路と、浴槽の湯を濾過槽の他端側から一端側に流通させた後、外部に排出する逆洗経路とを設けてなる浴槽湯の濾過装置において、前記正循環経路に、濾過槽の一端側から他端側に流通させた湯を浴槽に還元することなく濾過槽の一端側に戻す閉循環経路を設け、該閉循環経路に消毒液を混入させる消毒液混入装置を設ける構成にしたものである。
請求項２に係る発明は、前記正循環経路に消毒液を混入させる第２消毒液混入装置を設けたものである。
請求項３に係る発明は、前記逆洗経路の下流側に中和剤を混入させる中和剤混入装置を設けたものである。
請求項４に係る発明は、浴槽の湯を濾過槽の一端側から他端側に流通させた後、浴槽に還元する正循環経路と、該正循環経路に、前記濾過槽の一端側から他端側に流通させた湯を浴槽に還元することなく前記濾過槽の一端側に戻す閉循環経路と、該閉循環経路に消毒液を混入させる消毒液混入装置と、浴槽の湯を濾過槽の他端側から一端側に流通させた後、外部に排出する逆洗経路と、該逆洗経路の下流側に中和剤を混入させる中和剤混入装置とを設け、前記正循環経路が所定時間作動された後に、前記閉循環経路及び消毒液混入装置と、前記逆洗経路及び中和剤混入装置とを順次設定された時間で作動させる制御装置を設ける構成にしたものである。
【発明の効果】
【０００８】
本願の請求項１に係る発明は、正循環経路を作動させると、浴槽の湯が濾過槽と浴槽との間を循環（正循環）し、浴槽の湯内に混入した塵埃が濾過層によって捕捉されることになる。また、閉循環経路及び消毒液混入装置を作動させると、濾過槽の一端側に供給された湯が該濾過槽の他端側に向かって流通した後、浴槽に戻ることなく再び濾過槽の一端側に流入するという閉循環を行なうとともに、この閉循環する湯内に消毒液が混入されることになる。これにより、消毒液の消費量を少なくして閉循環する湯の残留消毒液濃度を規定値にし、濾過槽内の雑菌を効率よく死滅させることができる。
また、逆洗経路を作動させると、湯が濾過槽内を正循環時と逆向きに流通し、濾過槽内に堆積及び付着した塵埃を円滑に分離して外部に排出し、濾過槽の濾過機能を再生することができる。
【０００９】
請求項２に係る発明は、前記正循環経路の作動時に第２消毒液混入装置を作動させると、該正循環経路に所定量の消毒液が混入され、浴槽内の湯を消毒することになる。
【００１０】
請求項３に係る発明は、前記逆洗経路の作動時に中和剤混入装置を作動させると、逆洗経路の排出側に中和剤が混入され、該排出側の水を中和して外部に排出することになる。これにより環境汚染を防止することができる。
【００１１】
請求項４に係る発明は、閉循環経路及び消毒液混入装置と、逆洗経路及び中和剤混入装置とが制御装置によって順次作動されるので、濾過槽の消毒及び洗浄が作業者の手数を煩わすことなく自動的に行なえることになる。
【発明を実施するための最良の形態】
【００１２】
以下本発明の実施例を図面に基いて説明する。図において、図１は本発明による正循環経路の作動状態を示す経路図、図２は本発明による閉循環経路の作動状態を示す経路図、図３は本発明による逆洗経路の作動状態を示す経路図、図４は本発明による制御装置のブロック図、図５は本発明による制御装置のフローチャート、図６は濾過槽消毒時における消毒液の消費状態を示すグラフである。
【００１３】
図１において、２０は大衆浴場の浴槽、２１は浴槽２０の外部に設置した濾過槽であり、密閉された容器２１ａ内の上下中間部に粒状の濾過材２１ｂを充填してなり、容器２１ａの上端部及び下端部に上部管２２、下部管２３を連通接続する。上記浴槽２０に取出し管２４を接続し、該取出し管２４を第１切替弁ＳＶ１を介して第１ポンプＰ１の吸引管２５に接続し、該吸引管２５の途中に集毛器２６を取り付ける。第１ポンプＰ１の吐出管２７に第２切替弁ＳＶ２、第１送出管２８、第３切替弁ＳＶ３を介して濾過槽２１の上部管２２に接続する。また、上記吐出管２７に第２切替弁ＳＶ２、第２送出管２９、第４切替弁ＳＶ４を介して濾過槽２１の下部管２３に接続する。
【００１４】
上記下部管２３に切替弁ＳＶ４を介して一次還元管３０ａを接続し、該一次還元管３０ａの下流端を熱交換器３１の流入側に接続する。また、熱交換器３１の流出側に二次還元管３０ｂを接続し、該二次還元管３０ｂの下流端を前述した上記浴槽２０に接続する。３３は消毒液（塩素水）が収容される消毒液タンクであり、該消毒液タンク３３に低濃度の塩素水を吐出する第２ポンプＰ２（第２消毒液混入装置）、高濃度の塩素水を吐出する第３ポンプＰ３（消毒液混入装置）を並列に接続し、第２ポンプＰ２は第１消毒管３４、第１逆止弁Ｖ１を介して吐出管２７の途中に接続し、また、第３ポンプＰ３は第２消毒管３５、第２逆止弁Ｖ２を介して上記吐出管２７の途中に接続する。
【００１５】
前述した上部管２２に第３切替弁ＳＶ３を介して排出管３６を接続し、該排出管３６の排出口は排水路３７に臨ませる。３８は中和剤タンクであり、該中和剤タンク３８に消毒液（塩素水）を中和する中和剤、即ち、チオ硫酸ナトリウムを収容する。上記中和剤タンク３８に第４ポンプＰ４を接続し、該第４ポンプＰ４は中和管３９、第３逆止弁Ｖ３を介して上記排水管３６の途中に接続する。また、前述した濾過層２１の下部管２３と第１ポンプＰ１の吸引管２５との間にバイパス管４０を配置し、該バイパス管４０の両端を上記第１切替弁ＳＶ１、第４切替弁ＳＶ４を介して下部管２３と吸引管２５とに接続する。
【００１６】
ここで、前述した第１切替弁ＳＶ１〜第４切替弁ＳＶ４は三方電磁弁からなり、制御装置５０からの指令によって切換え制御される。また、制御装置５０は、第１切替弁ＳＶ１〜第４切替弁ＳＶ４、及び第１ポンプＰ１〜第４ポンプＰ４をプログラム制御し、正循環経路Ａ、閉循環経路Ｂ、及び逆洗経路Ｃを形成するとともに、正循環経路Ａの作動時に第２ポンプＰ２を起動させ、浴槽２０の湯を低濃度塩素水で消毒し、また、閉循環経路Ｂの作動時に第３ポンプＰ３を起動させ、濾過槽２１内を高濃度塩素水で消毒し、また、逆洗経路Ｃの作動時に第４ポンプＰ４を起動させ、排出湯を中和するようになっている。
【００１７】
図４は制御装置５０のブロック図である。図４において、５０は制御装置であり、プログラム設定部５１、演算処理部５２、スイッチ部５３、切換弁駆動司令部５４、及びポンプ駆動司令部５５を有する。上記プログラム設定部５１は、正循環経路Ａ、閉循環経路Ｂ、逆洗経路Ｃ等の種類を設定するとともに、これらに対応する各第１切替弁ＳＶ１〜第４切替弁ＳＶ４、各第１ポンプＰ１〜第４ポンプＰ４の作動順序、作動時間等を設定する。上記演算処理部５２は、スイッチ部５３からの信号を受けてプログラム設定部５１で設定されたプログラム、つまり正循環経路Ａ、閉循環経路Ｂ、逆洗経路Ｃを選択し、切換弁駆動司令部５４、及びポンプ駆動司令部５５を介して各第１切替弁ＳＶ１〜第４切替弁ＳＶ４、各第１ポンプＰ１〜第４ポンプＰ４を駆動制御する。
【００１８】
図５は上記制御装置５０の動作を示す。図５において、Ｓ１〜１３は各動作のステップである。まず、入浴開始のため、操作盤（図示省略）でスイッチがオン操作されると、プログラムがスタートし、Ｓ１で正循環経路Ａのプログラムが選択され、Ｓ２でＳＶ１〜ＳＶ４を正循環側に切り換える。即ち、図１に示すように、ＳＶ１を取出し管２４が吸引管２５に連通する側に切換え、ＳＶ２を吐出管２７が第１送出管２８に連通する側に切換え、ＳＶ３を第１送出管２８が上部管２２に連通する側に切換え、ＳＶ４を下部管２３が一次還元管３０ａに連通する側に切換える。次いでＳ２で第１ポンプＰ１、及び第２ポンプＰ２を起動させる。
【００１９】
これにより、浴槽２０の湯が取出し管２４を介して吸引されるとともに、集毛器２６、吸引管２５、第１ポンプＰ１、吐出管２７、第１送出管２８、上部管２２、濾過槽２１、下部管２３、一次還元管３０ａ、熱交換器３１、二次還元管３０ｂを経て再び浴槽２０に戻される、という正循環を行ない、集毛器２６で湯内に混入した髪の毛等が捕捉され、濾過槽２１で浮遊物等の塵埃が捕捉される。また、消毒液タンク３３内の消毒液、本例では塩素水が第２ポンプＰ２を介して吐出管２７部に低濃度で混入され、上記正循環する湯は消毒されて浴槽２０に戻され、これにより浴槽内のレジオネラ菌等の雑菌の繁殖が防止され、入浴者に対する日常管理が行なわれることになる。
【００２０】
Ｓ４で設定時間Ｔ１が経過、つまり入浴時間が終了すると、Ｓ５に進行し、ここで閉循環経路Ｂのプログラムが選択され、Ｓ６でＳＶ１〜ＳＶ４を閉循環側に切り換える。即ち、図２に示すように、ＳＶ１をバイパス管４０が吸引管２５に連通する側に切換え、ＳＶ２を吐出管２７が第１送出管２８に連通する側に切換え、ＳＶ３を第１送出管２８が上部管２２に連通する側に切換え、ＳＶ４を下部管２３がバイパス管４０に連通する側に切換える。次いでＳ７で第１ポンプＰ１、及び第３ポンプＰ３を起動させる。
【００２１】
これにより、濾過槽２１内を流通した湯が下部管２３、バイパス管４０、集毛器２６、吸引管２５、第１ポンプＰ１、吐出管２７、第１送出管２８、上部管２２を経て再び濾過槽２１に戻される、という閉循環を行ない、この閉循環時に消毒液タンク３３内の消毒液、本例では塩素水が第３ポンプＰ３を介して吐出管２７部に高濃度で混入される。この場合、上記閉循環する湯の遊離残留塩素濃度は、条例で定められた５ｍｇ／l〜１０ｍl／の範囲とする。これにより濾過槽２１内及び集毛器２６内で繁殖していたレジオネラ菌等の雑菌が死滅し、該濾過槽２１及び集毛器２６が消毒されることになる。この場合、上記閉循環を行なう湯の量は少なくなるので、消毒液の消費量を少なくして上記遊離残留消毒液濃度を規定値にすることができる。
【００２２】
Ｓ８で設定時間Ｔ２が経過、つまり雑菌が死滅する時間（本例では５分）が経過すると、Ｓ９に進行し、ここで逆洗経路Ｃのプログラムが選択され、Ｓ１０でＳＶ１〜ＳＶ４を逆洗側に切り換える。即ち、図３に示すように、ＳＶ１を取出し管２４が吸引管２５に連通する側に切換え、ＳＶ２を吐出管２７が第２送出管２９に連通する側に切換え、ＳＶ４をバイパス管４０が下部管２３に連通する側に切換え、ＳＶ３を上部管２２が排出管３６に連通する側に切換える。次いでＳ１１で第１ポンプＰ１、及び第４ポンプＰ４を起動させる。
【００２３】
これにより、取出し管２４を介して浴槽２０から吸引した湯が、集毛器２６、吸引管２５、吐出管２７、第２送出管２９、下部管２３を経て濾過槽２１内を下部側から上部に向かって流通する、という逆洗を行ない、濾過槽２１内の濾過材２１ｂに堆積及び付着した塵埃を分離し、これらを湯とともに排出管３６を介して排水路３７に排出する。この排出時に中和剤タンク３８内の中和剤、本例ではチオ硫酸ナトリウムが第４ポンプＰ４を介して排出管３６部に混入され、上記湯が中和されて排水路３７に排出され、環境汚染を防止することになる。
【００２４】
Ｓ１２で設定時間Ｔ３が経過、つまり濾過材２１ｂに堆積及び付着した塵埃の分離が完了する時間が経過すると、Ｓ１３に進行し、ここで運転終了の有無が判断され、運転続行の場合はＳ１にジャンプし、運転停止の場合は、前述した制御装置５０によるプログラム運転が終了する。
【００２５】
図６は濾過槽消毒時における消毒液の消費状態を従来と比較したグラフである。図６において、Ｍは濾過槽消毒する際に規定された遊離残留塩素濃度線、Ｌ１は本発明、即ち、閉循環による濾過槽２１の消毒で消費した消毒液の消費累計、Ｍ１は上記閉循環消毒時における遊離残留塩素濃度曲線、Ｋ１は上記閉循環消毒時における消毒液の注入停止線、Ｌ２は従来、即ち、逆洗による濾過槽２の消毒で消費した消毒液の消費累計、Ｍ２は上記逆洗消毒時における遊離残留塩素濃度曲線、Ｋ２は上記逆洗消毒時における消毒液の注入停止線である。
【００２６】
上記図６によれば、本発明による消毒液の消費累計は、従来のそれに比し遥かに少なくなることがわかる。実験によれば、本発明の消毒液の消費累計が１回当たり約３７．５ｍlとなるのに対し、従来の消毒液の消費累計は１回当たり約１３６．５ｍl消費するものであった。また、これに伴い、上記消毒後に使用する中和剤の消費量も本発明の方が従来よりも遥かに少なくなるものであった。従って、本発明は、従来に比し遥かに少ない経費で濾過槽を消毒することができることになる。
【図面の簡単な説明】
【００２７】
【図１】本発明による正循環経路の作動状態を示す経路図である。
【図２】本発明による閉循環経路の作動状態を示す経路図である。
【図３】本発明による逆洗経路の作動状態を示す経路図である。
【図４】本発明による制御装置のブロック図である。
【図５】本発明による制御装置のフローチャートである。
【図６】濾過槽消毒時における消毒液の消費状態を示すグラフである。
【図７】従来による浴槽の濾過状態を示す経路図である。
【図８】従来による濾過槽の逆洗状態を示す経路図である。
【符号の説明】
【００２８】
２０    浴槽
２１    濾過槽
２１ａ  容器
２１ｂ  濾過材
２２    上部管
２３    下部管
２４    取出し管
２５    吸引管
２６    集毛器
２７    吐出管
２８    第１送出管
２９    第２送出管
３０ａ  一次還元管
３０ｂ  二次還元管
３１    熱交換器
３３    消毒液タンク
３４    第１消毒管
３５    第２消毒管
３６    排出管
３７    排水路
３８    中和剤タンク
３９    中和管
４０    バイパス管
Ａ      正循環経路
Ｂ      閉循環経路
Ｃ      逆洗経路
Ｐ１    第１ポンプ
Ｐ２    第２ポンプ（第２消毒液混入装置）
Ｐ３    第３ポンプ（消毒液混入装置）
Ｐ４    第４ポンプ（中和剤混入装置）
ＳＶ１〜ＳＶ４  切換弁
Ｖ１〜Ｖ３      逆止弁
【図１】
2006095397.tif 000003
【図２】
2006095397.tif 000004
【図３】
2006095397.tif 000005
【図４】
2006095397.tif 000006
【図５】
2006095397.tif 000007
【図６】
2006095397.tif 000008
【図７】
2006095397.tif 000009
【図８】
2006095397.tif 000010